(57)【要約】      （修正有）【課題】自動車の乗降用雨よけ装置において、自動車の屋根に容易に設置することができ、乗降時に高い雨よけ効果を発揮できる自動車の乗降用雨よけ装置を提供する。【解決手段】自動車の屋根の上面に設置される箱形状または戸袋形状の収容部２０と、収容部２０に収容される平板状の雨よけパネル１０と、雨よけパネル１０を収容部２０から自動車の乗降用ドアに対する乗降位置の上方まで引き出し、かつ、引き出し後の雨よけパネル１０を元の収容部２０に戻すための駆動手段と、雨よけパネル１０の引き出し操作および戻し操作を行うための操作手段４０を備える構成とする。【選択図】図１
0003235403.tif 000002
【実用新案登録請求の範囲】
【請求項１】
自動車の屋根に設置される箱形状または戸袋形状の収容部と、当該収容部に収容される平板状の雨よけパネルと、当該雨よけパネルを前記収容部から自動車の側方の乗降位置まで引き出し、かつ、引き出し後の雨よけパネルを元の収容部に戻すための駆動手段と、前記雨よけパネルの引き出し操作および戻し操作を行うための操作手段を備えることを特徴とする自動車の乗降用雨よけ装置。
【請求項２】
前記収容部の側面に、前記雨よけパネルの引き出し用の開口部が設けられ、当該開口部は、前記雨よけパネルの引き出し動作時に開動作し、前記雨よけパネルの戻り動作時に閉動作する開閉板によって開閉可能とされていることを特徴とする請求項１記載の自動車の乗降用雨よけ装置。
【請求項３】
前記駆動手段は、前記収容部に横向きに配置されたボールネジと、前記雨よけパネルの下面に固定され、前記ボールネジに螺合するナットと、前記ボールネジを正逆回転させる駆動モータから構成されていることを特徴とする、請求項１または請求項２記載の自動車の乗降用雨よけ装置。
【請求項４】
前記雨よけパネルは、平板状のパネル本体と、当該パネル本体の底面に横向きに取付けられた複数の補強部材と、各補強部材の底面に取付けられたすべり部材から構成されていることを特徴とする、請求項１ないし請求項３のいずれか一項に記載の自動車の乗降用雨よけ装置。
【請求項５】
前記収容部の下面の四隅に取付け足部が取付けられ、各取付け足部は、自動車の屋根の側端部に設けられている溝に取付けられることを特徴とする、請求項１ないし請求項４のいずれか一項に記載の自動車の乗降用雨よけ装置。
【考案の詳細な説明】
【技術分野】
【０００１】
本考案は、自動車の屋根に設置される雨よけ装置で、降雨時の乗降時に用いる可動式の雨よけ装置に関するものである。
【背景技術】
【０００２】
自動車は、自宅から職場への通勤、自宅から病院やデイサービスへの送迎、スーパーへの買物など、様々な用途や場面において広く使用されており、日常生活において欠かせない移動手段となっている。
【０００３】
しかしながら、車に乗降する際、雨が降っていると、頭や髪、それに服が濡れて困るという実状がある。傘を利用する場合でも、車に乗り込む際は、傘を車の外でたたまなければならず、その間に雨に濡れてしまう。また、車を降りる際は、車を降りてから傘を開かなければならず、その間にも雨に濡れてしまう。車に乗り込んでから傘をたたむのは難しく、また、傘を開いてから車を降りることも難しい。
【０００４】
立体駐車場付きの建物や玄関に車寄せがある建物では、雨に濡れることなく車に乗降できるが、そのような建物は限られており、職場の駐車場、スーパーやコンビニの駐車場など、多くの場合は、車を駐車スペースにとめて、乗降するケースがほとんどである。かかる場合に降雨時の乗降時における上記のような問題が解消されていないのが現実である。
【０００５】
以上の背景から、雨よけ対策の様々な提案がなされてきた。例えば、特許文献１の雨除け装置は、自動車のドア上部に雨除けシートの先端を脱着可能に取り付け、雨除けシートの基端は車内の上部に巻取り可能に付勢されている構造をしている。特許文献２の雨除け装置は、サイドバイザに引き出し自在な雨除け部材を支持し、自動車の後退時に運転者が窓から顔を出すときに雨除け部材を引き出して雨天時に運転者や車内が濡れてしまうことを防ぐ効果がある。
【０００６】
特許文献３の雨除け具は、乗降時に任意に取付けられる簡易な雨除け具で、自動車の開状態のドアと車体の屋根の間に敷設するようにしたものである。特許文献４の雨除け装置は、自動車の屋根付き荷台に設置され、ルーフシートを巻きだしてサイドポールにより支持し、荷物の積降ろし時に荷物が濡れないように工夫したものである。
【先行技術文献】
【特許文献】
【０００７】
【特許文献１】実開平５−６８７１５号公報
【特許文献２】実開昭５９−２４６２０号公報
【特許文献３】特開２０１０−１８４５９１号公報
【特許文献４】実用新案登録第３１０３０５５号公報
【考案の概要】
【考案が解決しようとする課題】
【０００８】
特許文献１の提案は、アイデアに止まり、実現性が乏しい。特許文献２の提案は、特許文献１の提案よりも実現性はあるが、雨除け範囲が狭く、乗降時の雨除け効果が低い。特許文献３の提案は、ドアの開状態でドアの上に後付けで取付けなければならず、設置時に本人が濡れてしまうし、使用後は濡れた状態で車内に取り込む必要があり、不便である。
【０００９】
特許文献４の提案は、自動車の屋根付き荷台に対しては設置可能であるが、自動車の乗員用のドアに対しては適用が難しく、雨天時にドライバーが乗降する際は濡れてしまう。
【００１０】
本考案は上記課題に鑑みてなされたもので、自動車の乗降用雨よけ装置において、自動車の屋根に容易に設置することができ、乗員の乗降時に高い雨よけ効果を発揮できる自動車の乗降用雨よけ装置を提供することを目的とする。
【課題を解決するための手段】
【００１１】
上記課題を解決するために、本考案に係る自動車の乗降用雨よけ装置は、
自動車の屋根に設置される箱形状または戸袋形状の収容部と、当該収容部に収容される平板状の雨よけパネルと、当該雨よけパネルを前記収容部から自動車の乗降用ドアに対する乗降位置の上方まで引き出し、かつ、引き出し後の雨よけパネルを元の収容部に戻すための駆動手段と、前記雨よけパネルの引き出し操作および戻し操作を行うための操作手段を備えることを第１の特徴とする。
【００１２】
本考案に係る自動車の乗降用雨よけ装置は、
前記収容部の側面に、前記雨よけパネルの引き出し用の開口部が設けられ、当該開口部は、前記雨よけパネルの引き出し動作時に開動作し、前記雨よけパネルの戻り動作時に閉動作する開閉板によって開閉可能とされていることを第２の特徴とする。
【００１３】
本考案に係る自動車の乗降用雨よけ装置は、
前記駆動手段が、前記収容部に横向きに配置されたボールネジと、前記雨よけパネルの下面に固定され、前記ボールネジに螺合するナットと、前記ボールネジを正逆回転させる駆動モータから構成されていることを第３の特徴とする。
【００１４】
本考案に係る自動車の乗降用雨よけ装置は、
前記雨よけパネルが、平板状のパネル本体と、当該パネル本体の底面に横向きに取付けられた複数の補強部材と、各補強部材の底面に取付けられたすべり部材から構成されていることを第４の特徴とする。
【００１５】
本考案に係る自動車の乗降用雨よけ装置は、
前記収容部の下面の四隅に取付け足部が取付けられ、各取付け足部は、自動車の屋根の側端部に設けられている溝に取付けられることを第５の特徴とする。
【考案の効果】
【００１６】
以上説明したように、本考案に係る自動車の乗降用雨よけ装置によると、市販の自動車の屋根に容易に設置することができ、また、自動車の製造組立段階でも車体の屋根部分に容易に設置することができ、設置後は自動車の乗降時に高い雨よけ効果が得られ、雨に濡れることなく乗降できるという効果を奏する。
【００１７】
また、本考案に係る雨よけ装置は、使用時以外は、箱形状の収容部内に雨よけパネルが完全に収容されるので、自動車の走行時に邪魔にならず、降雨時の乗降時には雨よけパネルを引き出して使用できるから、使い勝手が非常によいという効果を奏する。
【図面の簡単な説明】
【００１８】
【図１】本考案に係る自動車の乗降用雨よけ装置を示す分解斜視図、
【図２】図１に示す雨よけ装置を自動車の屋根に設置した状態を示す平面図、
【図３】雨よけ装置の設置状態を示す拡大側面図、
【図４】雨よけ装置の設置状態で開閉板を開いた状態を示す拡大側面図、
【図５】雨よけ装置の内部を示す縦断面図、
【図６】雨よけ装置から雨よけパネルが引き出される様子を示す縦断面図、
【図７】（Ａ）（Ｂ）は自動車の屋根に設置された雨よけ装置から運転席の車外上方に雨よけパネルが引き出される様子を示す平面図、
【図８】（Ａ）（Ｂ）は自動車の屋根に設置された雨よけ装置から後部席の車外上方に雨よけパネルが引き出される様子を示す平面図、
【図９】両側方から雨よけパネルを引き出し可能とした構造の雨よけ装置の分解斜視図、
【図１０】本考案に係る雨よけ装置を自動車の屋根の内部に設置した状態を示す平面図である。
【考案を実施するための最良の形態】
【００１９】
本考案を実施するための実施形態について図面を参照して説明する。図１ないし図８は本考案に係る自動車の乗降用雨よけ装置の一実施形態を示すもので、これらの図において、符号Ｓは雨よけ装置を示している。
【００２０】
雨よけ装置Ｓは、自動車の屋根に設置されるもので、降雨時に自動車の乗降用ドアの側方に雨よけ空間を確保するための装置である。かかる雨よけ装置Ｓは、図１の分解斜視図に示すように、長方形状の雨よけパネル１０と、雨よけパネル１０を収容する箱形状の収容部２０とから構成されている。
【００２１】
雨よけパネル１０は、図１に示すように、平板状のパネル本体１１と、パネル本体１１の底面に横方向に平行して取付けられた複数（図示例は４本）の補強材１２と、それぞれの補強材１２の底面に取付けられたテープ状のすべり材１３から構成されている。パネル本体１１は、自動車の大きさによって異なるが、図２に示すように、平面視して自動車１の屋根２の面積に収まる大きさを有し、また、使用時（乗降時）には車外のドア付近に所定の雨よけ空間を確保できる大きさを有している。
【００２２】
上記の雨よけパネル１０は、パネル本体１１が軽量なアルミ金属やＦＲＰなどから構成され、補強材１２は軽量なアルミ金属などから構成されている。すべり材１３はポリエチレンなどの合成樹脂から構成されている。
【００２３】
収容部２０は、図１に示すように、底板２１と、前板２２および後板２３と、側板２４と、開閉板２５と、天板２６を備えている。収容部２０の内部には雨よけパネル１０を収容する収納室ｓが設けられ、側方に開閉板２５により開閉される開口部２７が設けられている。底板２１の底面の四隅には取付け足部２８が取付けられている。取付け足部２８は、図３および図４に示すように、自動車１の屋根２に設けられている溝３にボルト等により設置され、収容部２０を自動車１の屋根２の上に安定支持するようになっている。なお、図４は開閉板２５が開いた状態を示しており、収容部２０の内部構造が見えやすいように蓋部材３５を省略してある。
【００２４】
底板２１の内面のほぼ中央には、横方向に延びる凹部２１Ａが形成されている。この凹部２１Ａには、雨よけパネル１０を横方向にスライドさせるためのボールネジ２９が配置されている。ボールネジ２９には、図５に示すように、ナット１４が螺合され、ナット１４は、雨よけパネル１０のパネル本体１１の底面に固定される取付け具１５により支持されている。ボールネジ２９は両端の軸受３０により回転自在に支持されており、凹部２１Ａには、ボールネジ２９を正転方向、逆転方向に回転させる駆動モータ３１が設置されている。
【００２５】
開閉板２５は、ヒンジ３２により、前板２２および後板２３の端部間に回動可能に支持されており、前板２２の端部内面および後板２３の端部内面に設置された駆動モータ３３とリンク機構３４によって、ヒンジ３２回りに９０度回動できるようになっている。リンク機構３４は、駆動モータ３３の駆動により、縮小時（折たたみ時）に開閉板２５を下向きに回動させて開口部２７を閉じ、拡大時（展開時）に開閉板２５を上向きに回動させて開口部２７を開口するように作用する（図５、図６参照）。底板２１の凹部２１Ａの端面開口部は蓋部材３５によって閉塞されるようになっている。
【００２６】
収容部２０の内部には、駆動モータ３１によるボールネジ２９の正逆回転と、駆動モータ３３による開閉板２５の開閉動作を制御する制御装置３６が設置されている。制御装置３６は図示しない配線によりそれら駆動モータ３１、３３と接続されている。制御装置３６はリモコン４０により遠隔操作され、自動車１の運転手は、リモコン４０の操作により、開閉板２５の開閉操作と雨よけパネル１０のスライド（引き出しおよび戻し）操作を連動して行わせることができる。ボールネジ２９、ナット１４、取付け具１５、駆動モータ３３は、雨よけパネル１０を収容部２０から自動車１の乗降用ドアに対する乗降位置の上方まで引き出し、かつ、引き出し後の雨よけパネル１０を元の収容部２０に戻すための駆動手段を構成する。
【００２７】
ボールネジ２９を回転させる駆動モータ３１と開閉板２５を開閉させる駆動モータ３３は、図示しない配線により、自動車１に搭載されたバッテリー４と接続されており、バッテリー４からの供給電力により、それぞれ作動するようになっている。自動車１に搭載されたバッテリー４に代えて、天板２６の上面に薄い太陽光パネルを搭載し、収容部２０の内部（例えば底板２１の凹部２１Ａ）に小型の蓄電池を設置して、太陽光パネルからの電力を蓄電池に蓄え、この蓄電池から電力を駆動モータ３１、３３に供給するようにしてもよい。
【００２８】
次に、上記のように構成された雨よけ装置Ｓの使用方法について、作用とともに、以下に説明する。
【００２９】
まず、図２および図３に示すように、自動車１の屋根２に雨よけ装置Ｓを設置する。雨よけ装置Ｓは、四隅の取付け足部２８を屋根２の側端付近の溝３にボルト等により取付ける。これにより、雨よけ装置Ｓが、屋根２の上に水平姿勢に設置され、安定かつ強固に支持される。
【００３０】
次に、降雨時に傘を差した運転手が、屋外に停めた自動車１に近づき、リモコン４０を操作し、図７（Ａ）から図７（Ｂ）に示すように、雨よけ装置Ｓの雨よけパネル１０を収容部２０から矢印のように所定長引き出す。
【００３１】
運転手がリモコン４０を操作すると、信号が制御装置３６に送られ、制御装置３６の制御信号により、前後一対の駆動モータ３３が作動し、図５から図６に示すように、開閉板２５が上向きに開く。また、駆動モータ３１が作動し、ボールネジ２９が回転し、開閉板２５の動きに連動して、ボールネジ２９と螺合するナット１４が移動し、ナット１４と一体な雨よけパネル１０が、図５から図６に示すように、収容部２０内から引き出され、最大位置まで引き出された時に停止する。
【００３２】
これにより、運転席ドア５付近の運転手の周囲に、引き出された雨よけパネル１０により雨よけ空間が確保される。これにより、運転手は、雨に濡れることなく、傘を折りたたむと同時に、運転席ドア５を開いて運転席に乗り込むことができる。
【００３３】
運転手は、自動車１に乗り込んだ後、リモコン４０を操作して、引き出された雨よけパネル１０を収容部２０内に引き込ませるとともに、開閉板２５を閉じ、その後、自動車１を発進させ、目的地まで移動することができる。
【００３４】
目的地に到着後、降雨である場合、運転手は、再びリモコン４０を操作して、自動車１の屋根２の上から雨よけパネル１０を引き出して、雨よけ空間を確保し、運転席ドア５を開いて雨に濡れることなく車外に出て、傘を開くことができる。これにより、運転手は、自動車１を建物から離れた駐車場に止めた場合でも、雨に濡れることなく傘を差すことができ、目的の建物まで移動することができる。
【００３５】
図７（Ａ）（Ｂ）は、運転席に対し運転手が乗降する際に自動車１の屋根２から頭上空間に雨よけパネル１０を引き出し、運転手の周囲に雨よけ空間を確保する例を示している。雨よけ装置Ｓを平面視して１８０度反対に設置し、助手席に対し同乗者が乗降する際に雨よけパネル１０を引き出し、助手席の同乗者の周囲に雨よけ空間を確保するようにしてもよい。
【００３６】
図８（Ａ）（Ｂ）は、後部座席に対し後部席ドア６から同乗者が乗り降りする際に自動車１の屋根２から側方に雨よけパネル１０を引き出し、同乗者の周囲に雨よけ空間を確保する例を示している。図８の例は、タクシーや送迎車など、後部座席の乗客の乗り降り時に雨よけ空間を確保したい場合に好適である。
【００３７】
図９は、本考案の第２実施形態を示すもので、収容部２０’の両側部に開閉板２５を取付け、それぞれを駆動モータ３３およびリンク機構３４により開閉できるようにしたものである。図９の雨よけ装置によると、自動車１の屋根２から左右側方に雨よけパネル１０を引き出すことができ、降雨時に運転席側からもまた助手席側からも、濡れることなく運転手が乗降しあるいは同乗者が乗降することができる。
【００３８】
図１０は、本考案の第３実施形態を示すもので、本実施形態の雨よけ装置Ｓ’は、自動車１の屋根２を二重構造とし、屋根２の内部に戸袋状の収容部２０”を形成し、当該収容部２０”の内部に雨よけパネル１０を収容するようにしたものである。開閉板２５の機構は上記実施形態と同一構造である。雨よけパネル１０の使用時以外は、屋根２の内部に雨よけパネル１０が完全に収容されるようになっている。
【００３９】
本考案の雨よけ装置によると、以下の効果を奏する。
【００４０】
雨よけ装置Ｓは、市販の自動車の屋根に容易に設置することができ、また、雨よけ装置Ｓ’は、自動車の製造組立段階で車体の屋根部分に組み込むことができる。雨よけ装置Ｓ、Ｓ’の設置後は自動車の乗降時に高い雨よけ効果が得られ、雨に濡れることなく乗降することができる。
【００４１】
また、雨よけ装置Ｓ、Ｓ’は、使用時以外は、箱形状の収容部２０、２０’、２０”内に雨よけパネル１０が完全に収容されるので、自動車の走行時に邪魔にならず、降雨時の乗降時には雨よけパネル１０を引き出して使用できるから、使い勝手が非常によい。
【００４２】
雨よけ装置Ｓ、Ｓ’は、自家用車、タクシー、病院やデイケアサービス等への送迎用車両、マイクロバス、バス、荷台付きトラックなど幅広い自動車に設置可能である。
【００４３】
雨よけパネルを引き出すための駆動手段は、上記実施形態の構造に限らず、油圧式のシリンダーを凹部に配置し、伸縮ロッドの先端を雨よけパネルの底面に取付支持部材で支持させる構造を採用してもよく、この方式でも、雨よけパネルの引き出しおよび戻し動作を行わせることができる。
【００４４】
かくして、本考案の自動車の乗降用雨よけ装置によれば、利便性および耐久性に優れた自動車の乗降用雨よけ装置を提供することができる。
【産業上の利用可能性】
【００４５】
本考案に係る自動車の乗降用雨よけ装置は、自動車の屋根に容易に設置することができ、乗降時に高い雨よけ効果を発揮できる自動車の乗降用雨よけ装置として、幅広く利用できる。
【符号の説明】
【００４６】
１  自動車
２  屋根
３  溝
４  バッテリー
５  運転席ドア
６  後部席ドア
１０  雨よけパネル
１１  パネル本体
１２  補強材
１３  すべり材
１４  ナット
１４Ａ  ネジ孔
２０，２０’，２０”  収容部
２１  底板
２１Ａ  凹部
２２  前板
２３  後板
２４  側板
２５  開閉板
２６  天板
２７  開口部
２８  取付け足部
２９  ボールネジ
３０  軸受
３１，３３  駆動モータ
３２  ヒンジ
３４  リンク機構
３５  蓋部材
３６  制御装置
４０  リモコン（操作手段）
ｓ  収納室
Ｓ，Ｓ’  雨よけ装置
【図１】
0003235403.tif 000003
【図２】
0003235403.tif 000004
【図３】
0003235403.tif 000005
【図４】
0003235403.tif 000006
【図５】
0003235403.tif 000007
【図６】
0003235403.tif 000008
【図７】
0003235403.tif 000009
【図８】
0003235403.tif 000010
【図９】
0003235403.tif 000011
【図１０】
0003235403.tif 000012